(57)【要約】【課題】ユーザが簡単な操作で録画中番組や録画済み番組，放送中番組を選択して視聴することができるようにする。【解決手段】チューナ復号部１，２からの受信デジタル放送番組は、分離・抽出部５，６でMPEG2の映像／音声情報と番組情報とに分離され、映像／音声情報は、復号部８，９で復号され、ユーザインタフェース部１８で表示される。録画が指定された放送番組は、記録媒体１４で録画される。上記番組情報は、番組作成部・記録部７を介して、表示情報作成部１１に供給され、記録媒体１４で録画が行なわれるときに番組記録時間情報抽出部１２を介して供給されるこの録画に関する情報とともに、放送中番組や録画中番組，録画済み番組を含む番組一覧画面が作成される。この番組一覧画面はユーザインタフェース部１８に供給されて表示され、これにより、上記録画番組も含めて所望の番組を選択して表示させることができる。【選択図】図１
2007142756.tif 000002
【特許請求の範囲】
【請求項１】
１または複数の放送局からのデジタル放送の放送番組を同時に受信し、受信した該放送番組を記録手段に同時に録画して再生することを可能とするデジタル放送受信装置において、
該記録手段に録画中の放送番組の詳細情報の一覧を作成する第１の手段と、
該第１の手段で作成された該詳細情報の一覧を表示する第２の手段と、
該第２の手段に表示された該詳細情報の一覧から所望とする録画中の放送番組を選択するための第３の手段と、
該第３の手段で選択された該録画中の放送番組を視聴可能とする第４の手段と
を設けたことを特徴とするデジタル放送受信装置。
【請求項２】
１または複数の放送局からのデジタル放送の放送番組を同時に受信し、受信した該放送番組を記録手段に同時に録画して再生することを可能とするデジタル放送受信装置において、
該記録手段に録画済みの放送番組と録画中の放送番組との詳細情報の一覧を作成する第１の手段と、
該第１の手段で作成された該詳細情報の一覧を表示する第２の手段と、
該第２の手段に表示された該詳細情報の一覧から所望とする録画済みもしくは録画中の放送番組を選択するための第３の手段と、
該第３の手段で選択された該録画済みもしくは録画中の放送番組を視聴可能とする第４の手段と
を設けたことを特徴とするデジタル放送受信装置。
【請求項３】
１または複数の放送局からのデジタル放送の放送番組を同時に受信し、受信した該放送番組を記録手段に同時に録画して再生することを可能とするデジタル放送受信装置において、
現在放送されている放送中番組と該記録手段に録画済みの放送番組との詳細情報の一覧を作成する第１の手段と、
該第１の手段で作成された該詳細情報の一覧を表示する第２の手段と、
該第２の手段に表示された該詳細情報の一覧から所望とする放送中もしくは録画済みの放送番組を選択するための第３の手段と、
該第３の手段で選択された該放送中もしくは録画済みの放送番組を視聴可能とする第４の手段と
を設けたことを特徴とするデジタル放送受信装置。
【請求項４】
１または複数の放送局からのデジタル放送の放送番組を同時に受信し、受信した該放送番組を記録手段に同時に録画して再生することを可能とするデジタル放送受信装置において、
現在放送されている放送中番組と該記録手段に録画済みの放送番組と該記録手段に録画中の放送番組との詳細情報の一覧を作成する第１の手段と、
該第１の手段で作成された該詳細情報の一覧を表示する第２の手段と、
該第２の手段に表示された該詳細情報の一覧から所望とする放送中もしくは録画済みもしくは録画中の放送番組を選択するための第３の手段と、
該第３の手段で選択された該放送中もしくは録画済みもしくは録画中の放送番組を視聴可能とする第４の手段と
を設けたことを特徴とするデジタル放送受信装置。
【請求項５】
請求項１，２または４に記載のデジタル放送受信装置において、
前記録画中の放送番組の前記詳細情報は、少なくとも録画開始からの録画経過時間の情報を含むことを特徴とするデジタル放送受信装置。
【請求項６】
１または複数の放送局からのデジタル放送の放送番組を同時に受信し、受信した該放送番組を記録手段に同時に録画して再生することを可能とするデジタル放送受信方法であって、
該記録手段に録画中の放送番組の詳細情報の一覧を作成して表示可能とし、該詳細情報の一覧から所望とする録画中の放送番組を選択可能とし、選択された該録画中の放送番組を視聴可能とすることを特徴とするデジタル放送受信方法。
【請求項７】
１または複数の放送局からのデジタル放送の放送番組を同時に受信し、受信した該放送番組を記録手段に同時に録画して再生することを可能とするデジタル放送受信方法であって、
該記録手段に録画済みの放送番組と録画中の放送番組との詳細情報の一覧を作成して表示可能とし、該詳細情報の一覧から所望とする録画済みもしくは録画中の放送番組を選択可能とし、選択された該録画済みもしくは録画中の放送番組を視聴可能とすることを特徴とするデジタル放送受信方法。
【請求項８】
１または複数の放送局からのデジタル放送の放送番組を同時に受信し、受信した該放送番組を記録手段に同時に録画して再生することを可能とするデジタル放送受信方法であって、
現在放送されている放送中番組と該記録手段に録画済みの放送番組との詳細情報の一覧を作成して表示可能とし、該詳細情報の一覧から所望とする放送中もしくは録画済みの放送番組を選択可能とし、選択された該放送中もしくは録画済みの放送番組を視聴可能とすることを特徴とするデジタル放送受信方法。
【請求項９】
１または複数の放送局からのデジタル放送の放送番組を同時に受信し、受信した該放送番組を記録手段に同時に録画して再生することを可能とするデジタル放送受信方法であって、
現在放送されている放送中番組と該記録手段に録画済みの放送番組と該記録手段に録画中の放送番組との詳細情報の一覧を作成して表示可能とし、該詳細情報の一覧から所望とする放送中もしくは録画済みもしくは録画中の放送番組を選択可能とし、選択された該放送中もしくは録画済みもしくは録画中の放送番組を視聴可能とすることを特徴とするデジタル放送受信装置。
【請求項１０】
請求項６，７または９に記載のデジタル放送受信方法において、
前記録画中の放送番組の前記詳細情報は、少なくとも録画開始からの録画経過時間の情報を含むことを特徴とするデジタル放送受信方法。
【発明の詳細な説明】
【技術分野】
【０００１】
本発明は、デジタル放送番組の番組情報を表示可能としたデジタル放送受信装置及び方法に関する。
【背景技術】
【０００２】
近年、ＨＤＤ（ハードディスクドライブ)の低価格・大容量化を背景に、デジタル放送受信機にＨＤＤを内蔵し、デジタル放送番組をＭＰＥＧ２−ＴＳ（Moving Picture Experts Group Phase 2 - Transport Stream）形式のまま、或いはパーシャルＴＳ形式に変換して記録・再生を行なうことができるデジタル放送受信装置が製品化されている（非特許文献１参照）。
【非特許文献１】日立ハイビジョンプラズマテレビ/液晶テレビカタログ HT-540(H)(2005.2)
【発明の開示】
【発明が解決しようとする課題】
【０００３】
このようなデジタル放送受信機の１つの機能に、ＨＤＤに録画された番組をユーザが視聴するための補助機能として、ＨＤＤに録画済みの番組をＧＵＩ(Graphical User Interface：グラフィック ユーザ インタフェース)を利用してモニタ画面に一覧表示させる機能がある。ユーザは、このＧＵＩから所定の番組を、例えば、リモコンなどでポインティングして選択することにより、視聴することができる。
【０００４】
しかしながら、このような従来例においては、ユーザは、録画済みの番組の一覧表示でのみ番組の選択をするだけであって、番組選択に録画済みの番組に関する様々な情報を利用しておらず、ユーザが所望とする番組を簡単に選択することはできなかった。
【０００５】
本発明は、このような状況に鑑みてなされたものであり、その目的は、ユーザが録画済みの番組のうちから所望とする録画済みの番組を簡単に選択し、視聴することができるようにしたデジタル放送受信装置及び方法を提供することにある。
【０００６】
また、従来、ユーザがデジタル放送番組を視聴するための補助機能として、ＥＰＧ(Electric Program Guide：電子番組ガイド)をＧＵＩを利用してモニタ画面に表示させる機能が知られている。このＥＰＧのＧＵＩは、新聞などに掲載されるラジオ・テレビ欄（ラテ欄）と同様に、チャンネル名の表示，放送時間の表示及びチャンネル名と放送時間に対応する番組名などの表示から構成されている。ユーザは、このＥＰＧのＧＵＩから放送中の所望とする番組を、例えば、リモコンなどでポインティングして選択することにより、この番組を視聴することができる。
【０００７】
しかしながら、ＨＤＤに録画済みの番組の一覧のＧＵＩは、このＥＰＧのＧＵＩとは別のＧＵＩとして提供されており、同じ「視聴」する行為にもかかわらず、放送中のデジタル放送番組の視聴とＨＤＤに録画済みの番組の視聴とで異なる操作をしなければならない問題がある。
【０００８】
本発明の他の目的は、ユーザが簡単に録画済みの放送番組や放送中の番組を選択して視聴することができるようにしたデジタル放送受信装置及び方法を提供することにある。
【課題を解決するための手段】
【０００９】
上記目的を達成するために、本発明は、１または複数の放送局からのデジタル放送の放送番組を同時に受信し、受信した放送番組を記録手段に同時に録画して再生することを可能とするデジタル放送受信装置であって、記録手段に録画中の放送番組の詳細情報の一覧を作成する第１の手段と、第１の手段で作成された詳細情報の一覧を表示する第２の手段と、第２の手段に表示された詳細情報の一覧から所望とする録画中の放送番組を選択するための第３の手段と、第３の手段で選択された録画中の放送番組を視聴可能とする第４の手段とを設けたことを特徴とする。
【００１０】
また、本発明によるデジタル放送受信装置は、記録手段に録画済みの放送番組と録画中の放送番組との詳細情報の一覧を作成する第１の手段と、第１の手段で作成された詳細情報の一覧を表示する第２の手段と、第２の手段に表示された詳細情報の一覧から所望とする録画済みもしくは録画中の放送番組を選択するための第３の手段と、第３の手段で選択された録画済みもしくは録画中の放送番組を視聴可能とする第４の手段とを設けたことを特徴とする。
【００１１】
また、本発明によるデジタル放送受信装置は、現在放送されている放送中番組と記録手段に録画済みの放送番組との詳細情報の一覧を作成する第１の手段と、第１の手段で作成された詳細情報の一覧を表示する第２の手段と、第２の手段に表示された詳細情報の一覧から所望とする放送中もしくは録画済みの放送番組を選択するための第３の手段と、第３の手段で選択された放送中もしくは録画済みの放送番組を視聴可能とする第４の手段とを設けたことを特徴とする。
【００１２】
また、本発明によるデジタル放送受信装置は、現在放送されている放送中番組と記録手段に録画済みの放送番組と記録手段に録画中の放送番組との詳細情報の一覧を作成する第１の手段と、第１の手段で作成された詳細情報の一覧を表示する第２の手段と、第２の手段に表示された詳細情報の一覧から所望とする放送中もしくは録画済みもしくは録画中の放送番組を選択するための第３の手段と、第３の手段で選択された放送中もしくは録画済みもしくは録画中の放送番組を視聴可能とする第４の手段とを設けたことを特徴とする。
【００１３】
さらに、本発明によるデジタル放送受信装置は、上記の録画中の放送番組の詳細情報が、少なくとも録画開始からの録画経過時間の情報を含むことを特徴とする。
【００１４】
上記目的を達成するために、本発明は、１または複数の放送局からのデジタル放送の放送番組を同時に受信し、受信した放送番組を記録手段に同時に録画して再生することを可能とするデジタル放送受信方法であって、記録手段に録画中の放送番組の詳細情報の一覧を作成して表示可能とし、詳細情報の一覧から所望とする録画中の放送番組を選択可能とし、選択された録画中の放送番組を視聴可能とすることを特徴とする。
【００１５】
また、本発明によるデジタル放送受信方法は、記録手段に録画済みの放送番組と録画中の放送番組との詳細情報の一覧を作成して表示可能とし、詳細情報の一覧から所望とする録画済みもしくは録画中の放送番組を選択可能とし、選択された録画済みもしくは録画中の放送番組を視聴可能とすることを特徴とする。
【００１６】
また、本発明によるデジタル放送受信方法は、現在放送されている放送中番組と記録手段に録画済みの放送番組との詳細情報の一覧を作成して表示可能とし、詳細情報の一覧から所望とする放送中もしくは録画済みの放送番組を選択可能とし、選択された放送中もしくは録画済みの放送番組を視聴可能とすることを特徴とする。
【００１７】
また、本発明によるデジタル放送受信方法は、現在放送されている放送中番組と記録手段に録画済みの放送番組と記録手段に録画中の放送番組との詳細情報の一覧を作成して表示可能とし、詳細情報の一覧から所望とする放送中もしくは録画済みもしくは録画中の放送番組を選択可能とし、選択された放送中もしくは録画済みもしくは録画中の放送番組を視聴可能とすることを特徴とする。
【００１８】
さらに、本発明によるデジタル放送受信方法は、上記録画中の放送番組の詳細情報は、少なくとも録画開始からの録画経過時間の情報を含むことを特徴とする。
【発明の効果】
【００１９】
本発明によれば、録画中の放送番組や録画済みの放送番組，放送中の放送番組を簡単に選択し、視聴することができる。
【発明を実施するための最良の形態】
【００２０】
以下、本発明の実施形態を図面を用いて説明する。
【００２１】
図１は本発明によるデジタル放送受信装置及び方法の一実施形態を示すブロック構成図であって、１，２はチューナ復号部、３，４はセレクタ、５，６は分離・抽出部、７は番組情報作成・記録部、８，９は復号部、１０は合成部、１１は表示情報作成部、１２は番組記録時間情報抽出部、１３は書き込み部、１４は記録媒体、１５は読み出し部、１６は録画番組管理テーブル作成部、１７は制御部、１８はユーザインタフェース部、１９はIEEE1394インタフェース部である。
【００２２】
図１において、この実施形態は２つのチューナ復号部１，２を備え、異なる２つのチャンネル（番組）を同時に受信できる構成をなしている。
【００２３】
デジタル放送ソースとしての図示しない各放送局からは、夫々毎のチャンネルのデジタル放送信号が送信されている。かかるデジタル放送信号は、送信する放送番組やその関連情報などの情報（これらを総称して、サービスという）の映像，音声，伝送制御情報がMPEG形式で圧縮され、夫々固定長のパケット（TS(トランスポート）パケット）に分割されて時分割に多重化された一連の情報からなるMPEG2-TS(MPEG2-Transport Stream）からなり、かかるMPEG2-TSが放送局に対して決められた周波数帯に変調されたものである。放送中の放送番組などは、このようにして、放送局から衛星・地上・ケーブルなどの放送伝送網を介して送信される。かかるデジタル放送信号は、図示しないアンテナで受信されてチューナ復号部１，２に供給される。
【００２４】
一方のチューナ復号部１では、ユーザインタフェース部１８のリモコンなどのユーザ操作部でのユーザ操作と、例えば、ＣＰＵ（Central Processing Unit）などからなる制御部１７とにより、このユーザ操作で指定された物理的な、或いは仮想的なユーザが希望するチャンネル（即ち、放送番組）のデジタル放送信号が選局され、この選局されたチャンネルのデジタル放送信号が検波処理され、デジタル復調処理及び誤り訂正処理されてMPEG2―TSに復号される。このユーザが選択したチャンネルの復号されたこのMPEG2―TSは、セレクタ３に供給される。
【００２５】
セレクタ３は、例えば、デマルチプレクサであって、チューナ復号部１や後述する記録媒体１４の読出部１５，IEEE1394インタフェース部１９からの３入力のうち、ユーザインタフェース部１８のリモコンの操作による制御部１７による制御に応じた１つを選択して出力処理を行なうものであって、その出力信号は分離・抽出部５に供給される。ユーザがユーザインタフェース部１８のリモコンの操作によって放送中の希望する放送番組（チャンネル）を指定したときには、セレクタ３は、チューナ復号部１からのこの希望する放送番組のMPEG2―TSを選択して分離・抽出部５に供給する。
【００２６】
なお、ユーザインタフェース部１８は、例えば、入力装置としてのキーボード、マウスまたはリモコンや、出力装置としてのＣＲＴ（Cathode Ray Tube），ＬＣＤ（Liquid Crystal Display）またはＰＤＰ（Plasma Display Panel）を利用した映像表示装置、スピーカなどによる音声出力装置などによって構成されている。
【００２７】
分離・抽出部５は、セレクタ３で選択されたチャンネル（放送番組）のMPEG2―TS（デジタル放送信号）が供給されると、このMPEG2―TSからユーザインタフェース部１８で指定されたサービス（ここでは、放送番組）のTSパケットを分離・抽出し、分離・抽出したTSパケットを書込部１３に供給するとともに、このMPEG2―TSから抽出したTSパケットから映像情報と音声情報とのPES(Packetized Elementary Stream：パケット化されたエレメンタリ ストリーム)、またはES(Elementary Stream：エレメンタリ ストリーム)を分離・抽出して、例えば、MPEGデコーダである復号部８に供給し、さらには、このMPEG2―TSから抽出したTSパケットから、PSI/SI(Program Specific Information/Service Information：所要の放送番組を選択するために必要な情報であるPSI（Program Specific Information：番組特定情報）にその一部の情報としての番組名や番組表（EPG：Electric Program Guide）などを送信するためのSI(Service Information：番組配列情報）を含めた情報）を利用し、かかるPSI/SIを構成するテーブルのうちの、NIT(Network Information Table：ネットワーク情報テーブル）とSDT(Service Description Table：サービス記述テーブル）とEIT(Event Information Table：イベント情報テーブル）とを抽出し、番組情報作成・記録部７に供給する。
【００２８】
ここで、
NIT(ネットワーク情報テーブル）は、可能な全てのサービス（放送番組など）の一覧と各サービスがどのTSに含まれているかを記述したテーブルであり、
SDT(サービス記述テーブル）は、あるTSに含まれる全てのサービスの一覧を記述したテーブルであり、
EIT(イベント情報テーブル）は、イベント情報（イベントとは、通常、放送番組のこと）を記述したテーブルであって、放送番組の場合、放送番組毎の開始時刻や番組長，番組名，出演者，ジャンルなどの付属情報を記述することができるテーブルである。
【００２９】
復号部８は、例えば、ＭＰＥＧデコーダであって、分離・抽出部５からの映像情報や音声情報（これらのいずれか一方でもよい）のPESまたはESを復号する。復号された映像情報は合成部１０に供給され、復号された音声情報は、その供給経路を図示しないが、ユーザインタフェース部１８に供給される。
【００３０】
上記アンテナで受信された図示しない放送局からのデジタル放送信号は、また、他方のチューナ復号部２にも供給される。このチューナ復号部２では、ユーザインタフェース部１８のリモコンなどのユーザ操作部でのユーザ操作と制御部１７とにより、このユーザ操作で指定された物理的な、或いは仮想的なユーザが希望するチャンネル（即ち、放送番組）が選局され、検波処理され、デジタル復調処理及び誤り訂正処理されてMPEG2―TSに復号される。この復号されたMPEG2―TSは、セレクタ４に供給される。
【００３１】
セレクタ４は、例えば、デマルチプレクサであって、チューナ復号部２やIEEE1394インタフェース部１９，読出部１５からの３入力のうち、制御部１７による制御に応じた１つを選択して出力処理を行なうものであって、その出力信号は分離・抽出部６に供給される。ユーザがユーザインタフェース部１８のリモコンの操作によって放送中の希望する放送番組（チャンネル）を指定したときには、セレクタ４は、チューナ復号部２からのこの希望する放送番組のMPEG2―TSを選択して分離・抽出部６に供給する。
【００３２】
分離・抽出部６は、セレクタ４で選択されたチャンネル（放送番組）のMPEG2―TS（デジタル放送信号）が供給されると、このMPEG2―TSからユーザインタフェース部１８で指定されたサービス（ここでは、上記のように、放送番組）のTSパケットを分離・抽出し、分離・抽出したTSパケットを書込部１３に供給するとともに、このMPEG2―TSのチャンネル信号から抽出したTSパケットから映像情報と音声情報とのPES、またはESを分離・抽出して、例えば、MPEGデコーダである復号部９に供給し、さらには、このMPEG2―TSのチャンネル信号から抽出したTSパケットから、PSI/SIを構成するテーブルのうちの、NIT，SDT，EITを抽出し、番組情報作成・記録部７に供給する。
【００３３】
復号部９は、例えば、ＭＰＥＧデコーダであって、分離・抽出部６からの映像情報や音声情報（これらのいずれか一方でもよい）のPESまたはESを復号する。復号された映像情報は合成部１０に供給され、復号された音声情報は、その供給経路を図示しないが、ユーザインタフェース部１８に供給される。
【００３４】
合成部１０は、復号部８或いは復号部９からの映像情報と、あるいは復号部８，９からの映像情報を合成してその合成映像情報と後述する表示情報作成部１１からの視聴選択情報とを合成し、或いは切り替えて、その供給経路を図示しないが、ユーザインタフェース部１８に供給する。
【００３５】
ユーザインタフェース部１８では、映像表示装置で合成部１０から供給された映像信号によって映像表示され、音声出力装置で復号部８，９で復号された音声信号によって音声出力される。これにより、インタフェース部１８でこの指定した放送番組を視聴することができるが、このとき、ユーザインタフェース部１８でのリモコンなどの操作によって２つの放送中の放送番組の受信が指定され、チューナ復号部１，２でこれら指定された放送番組が受信処理されているときには、これら放送番組が合成部１０で合成される。ユーザインタフェース部１８では、２画面表示がなされてこれら放送番組と録画番組とを同時に視聴することができる。
【００３６】
ここで、PSI/SIは、TSに多重化されている放送番組に関する情報であり、上記のNIT(ネットワーク情報テーブル），SDT(サービス記述テーブル）及びEIT(イベント情報テーブル）のほかに、PMT(Program Map Table：プログラム マップ テーブル）やPAT(Program Association Table：プログラム アソシエーション テーブル），CAT(Conditional Access Table：限定受信テーブル），BAT(Bouquet Association Table：ブーケ アソシエーション テーブル）といったセクション（section）と呼ばれるデータ構造を有するテーブルで構成されている。
【００３７】
なお、PMT(プログラム マップ テーブル）は、放送番組などのサービスに含まれる映像や音声などの符号化情報を伝送するTSパケットの識別子、即ち、PID(Packet Identification：パケットID）や、有料放送の関連情報のうちの共通情報を伝送するPIDを格納したテーブルであり、PAT(プログラム アソシエーション テーブル）は、TS内で行なわれるサービスの一覧を、サービスを示すPMTのPIDの一覧で表わしたテーブルであり、CAT(限定受信テーブル）は、有料放送を構成する関連情報のうちの個別情報を伝送するTSパケットのパケットIDを指定するテーブルであり、BAT(ブーケ アソシエーション テーブル）は、編成チャンネルの集合（ブーケ）の名称や含まれる編成チャンネルなどに関する情報を指示するテーブルである。これら各テーブルには、所定のテーブルIDが割り当てられているとともに、そのテーブルを格納するパケットには、PIDが格納されている。
【００３８】
分離・抽出部５，６は、例えば、各パケットのPIDを参照して、PIDが「0x0010（１６進数）」であるパケット（NITが格納されているパケット）と、PIDが「0x0011」であるパケット（SDTが格納されているパケット）と、PIDが「0x0012」であるパケット（EITが格納されているパケット）とを夫々検出して、それらをTS(トランスポート ストリーム）から分離・抽出する。
【００３９】
NITには、ネットワークID（network_ID），トランスポートストリームID（transport_stream_ID）及び記述子（service_list_descriptor：サービスリスト記述子）などが格納されている。なお、ネットワークIDは、BS(衛星）デジタル放送や地上デジタル放送など、各放送形態に割り当てられたIDである。
【００４０】
SDTには、TS ID(transport_stream_ID）、並びにそのTS IDで識別されるTSで伝送されるサービスのサービスID（service_ID）や記述子（service_descriptor：サービス記述子）などが格納されている。
【００４１】
EITには、TS IDやこのTS IDで識別されるTSで伝送されるサービスのサービスID（service_ID）、そのサービスを構成するイベント（event）の開始時刻（start_time）とその継続時間（duration）及び記述子（short_event_descriptor：短形式イベント記述子）などが格納されている。
【００４２】
番組情報作成・記録部７は、PSI(番組特定情報）のNIT(ネットワーク情報テーブル）から、いま、EPG(番組表）画面を形成する現在放送中の放送番組のネットワークIDが設定されているNITを検出し、この検出したNITからEPG(番組表）のTS-IDとサービスリスト記述子を読み取る。例えば、BSデジタル放送の場合、BSデジタル放送のネットワークIDが設定されているNITが検出され、そのNITからTS-IDとサービスリスト記述子が読み取られる。サービスリスト記述子には、NITで、対になるTS-IDで識別されるTSで伝送されるサービスのサービスID(service_ID）やサービスタイプ（service_type）などがリスト形式で記述されている。
【００４３】
次に、番組情報作成・記録部７は、分離・抽出部５で抽出されたSDT(サービス記述テーブル）から、NIT(ネットワーク情報テーブル)から読み取ったTS-ID及びそのサービスリスト記述子に記述されているサービスIDが設定されたSDT（サービス記述テーブル）を検出するとともに、検出したパケットのSDT（サービス記述テーブル）からサービス記述子を読み取る。サービス記述子には、事業者名（放送局名（長さがservice_provider_name_lengthのchar（文字列））やサービス名（長さがservice_name_lengthのchar（文字列））などが記述されている。
【００４４】
また、番組情報作成・記録部７は、分離・抽出部５で抽出されたEIT(イベント情報テーブル）から、NIT(ネットワーク情報テーブル)から読み取ったTS-ID及びそのサービスリスト記述子に記述されているサービスIDが設定されているEIT(イベント情報テーブル)のパケットを検出するとともに、検出したパケットから短形式イベント記述子を読み取る。短形式イベント記述子は、番組名（長さがevent_name_lengthのevent_name_char（文字列））や番組記述（長さがtext_lengthのtext＿char（文字列）（例えば、出演者名など））などが記述されている。
【００４５】
以上のように検出したNIT(ネットワーク情報テーブル)のサービスリスト記述子からサービス形式種別（service_type）を、SDT(サービス記述テーブル）のサービス記述子から事業者名，サービス名を、EIT(イベント情報テーブル)から放送番組の開始時刻（start_time）と継続時間（duration）を、そして、その短形式イベント記述子から番組名と番組記述を夫々読み出し、これらから現在放送中の各放送番組の情報（番組情報）を作成して、TS-IDとともに、内部に記憶し、制御部１７からの制御に従って表示情報作成部１１に、或いは録画番組管理テーブル作成部１６に供給する。
【００４６】
表示情報作成部１１は、後述の番組記録時間情報抽出部１２からの録画経過時間情報と番組情報作成・記録部７からの番組情報とから視聴選択情報を作成し、合成部１０に供給する。この視聴選択情報は、現在放送中の放送番組（以下、放送中番組という）と記録媒体１４に現在記録されている放送番組（以下、録画済み番組という）とに関する表示情報であり、後述するように、合成部１０を介してユーザインタフェース部１８に供給されたときには、かかる放送中番組や録画済み番組、さらには、現在録画中である放送番組（以下、録画中番組という）のリストが、視聴番組一覧画面として、画面表示され、ユーザが視聴（録画済み番組の再生も含む）したい放送番組を選択することができる。
【００４７】
また、録画番組管理テーブル作成部１６は、例えば、ハードディスク，メモリ，光ディスク，光磁気ディスクなどの記録媒体１４に録画されている全ての放送番組（録画番組）の管理テーブル（録画番組管理テーブル）を作成するものであり、インタフェース部１８のリモコンなどの操作によって受信している放送中の放送番組の録画の指令があって、書込み部１３により、分離・抽出部５または６から供給されるMPEG2―TSから分離・抽出された一連のTSパケットからなるTSを記録媒体１４に記録することによって受信する放送中の放送番組の録画が開始すると、これとともに、記録媒体１４にこの格納されている録画番組の録画番組管理テーブルを読出部１５を介して読み出し、番組情報作成・記録部７からの放送中の放送番組の番組情報から現在録画し始める放送番組の番組情報を記録媒体１４から読み出したこの録画番組管理テーブルに追加し、書込部１３に供給する。
【００４８】
書込部１３は、受信している放送中の放送番組の録画がインタフェース部１８のリモコンなどの操作によって指令されると、分離・抽出部５または６からのこの放送番組の一連のTSパケットからなるＴＳを記録処理して記録媒体１４に記録し始め、これとともに、この録画開始する放送中の放送番組の番組情報が追加された録画番組管理テーブルを記録媒体１４に記録する。
【００４９】
このようにして、チューナ復号部１または２で選局された放送中の放送番組は、ユーザインタフェース部１８のリモコンなどのユーザによる録画指示があると、この放送番組の番組情報が追加された録画番組管理テーブルが記録媒体１４に記録されるとともに、この放送番組（即ち、この放送番組のTS）の記録媒体１４への録画（記録）が開始される。この結果、ユーザによって指定されたチャネル（放送番組）の映像情報と音声情報との少なくとも一方が含まれた一連のTSパケットからなる１つのTS（トランスポート ストリーム）が、１つのデータファイルまたはそれが分割された２以上の断片データファイルとして、記録媒体１４に記憶される。
【００５０】
そして、書込部１３は、放送番組の録画を開始すると、この録画開始を示す情報を番組記録時間情報抽出部１２に通知し、また、この放送番組の録画終了とともに、この録画終了を示す情報を番組記録時間情報抽出部１２に通知する。
【００５１】
番組記録時間情報抽出部１２は、書込部１３から録画開始を示す情報を受けると、録画を開始した放送番組の録画開始からの時間経過を算出して録画時間経過情報を形成し、表示情報形成部１１に通報する。また、番組記録時間情報抽出部１２は、書込部１３から録画終了を示す情報を受けると、表示情報作成部１１にこの録画番組の録画が終了したことを通知するとともに、録画経過時間情報の供給を終了する。このときの録画経過時間情報が、この録画された放送番組の録画時間の長さとなる。
【００５２】
表示情報作成部１１では、上記のように、番組情報作成・記録部７からの放送中番組の番組情報と番組記録時間情報抽出部１２からの番組記録時間情報とから視聴選択情報を作成するのであるが、放送中番組のうちの番組記録時間情報抽出部１２からの番組記録時間情報が供給される放送番組については、放送中番組から録画中番組に番組の状態を変更し、さらに、番組記録時間情報抽出部１２から放送番組の録画が終了したことが通知されると、録画済み番組に番組の状態を変更する。そして、最終的に送られた番組時間記録情報がこの録画済み番組の時間的な長さ（録画時間の長さ）として表示情報に使用される。
【００５３】
ユーザインタフェース部１８のリモコンなどの操作によって記録媒体１４の録画済み番組の１つが指定されると、読出部１５によって録画番組管理テーブルが読み出され、制御部１７がこの録画番組管理テーブルから記録媒体１４での指定されたこの録画番組の記録エリアが検索され、これにより、読出部１５が記録媒体１４からこの指定された録画番組の一連のTSパケットからなるMPEG2形式のTS（MPEG2-TS）を読み出し、セレクタ３，４やIEEE1394インタフェース部１９に供給する。記録媒体１４から読み出された録画番組管理テーブルは、録画番組管理テーブル作成部１６に供給される。
【００５４】
上記のリモコンの操作によってセレクタ３，４のいずれか一方がこの読み出された録画番組のTSを選択する。セレクタ３または４で選択されたこの録画番組のTSは分離・抽出部５または６に供給され、このTSから映像・音声情報のPESまたはESが分離・抽出され、かかるPESまたはESが復号部８または９で映像情報，音声情報に復号されて合成部１０に供給される。この合成部１０の出力がユーザインタフェース部１８に供給されて、ユーザによって指定された録画番組が表示される。
【００５５】
このとき、ユーザインタフェース部１８でのリモコンなどの操作によって放送中の放送番組の受信が指定され、チューナ復号部１，２のいずれかで指定された放送番組が受信処理されているときには、この放送番組と上記の録画番組とが合成部１０で合成され、ユーザインタフェース部１８では、２画面表示がなされてこれら放送番組と録画番組とを同時に視聴することができる。
【００５６】
IEEE1394インタフェース部１９は、ＡＶ機器やパソコン周辺機器などを統合して接続する規格化されたデジタルインタフェースであって、ここでは、図示しないIEEE1394(例えば、i.Link（登録商標））ケーブルを介して、図示しないD-VHSビデオデッキが接続される。
【００５７】
ユーザインタフェース部１８のリモコンなどの操作により、記録媒体１４での録画番組のうちの所望とする録画番組が指定されてD-VHSビデオデッキへの転送の指示があると、読出部１５によって記録媒体１４から指定された録画番組のMPEG2-TSが読み出され、IEEE1394インタフェース部１９やIEEE1394ケーブルを介してD-VHSビデオデッキに供給され、このD-VHSビデオデッキに記録される。また、ユーザインタフェース部１８のリモコンなどの操作により、D-VHSビデオデッキからの録画番組の再生が指示されると、この録画番組のMPEG2-TSが読み出され、IEEE1394ケーブルやIEEE1394インタフェース部１９を介してセレクタ３または４に供給される。セレクタ３または４では、この録画番組のMPEG2-TSが選択されて、上記と同様、分離・抽出部５または６，復号部８または９で処理されて合成部１０に供給され、さらに、ユーザインタフェース部１８に供給されて再生表示される。
【００５８】
なお、ここでは、IEEE1394インタフェース部１９を用いてD-VHSビデオデッキと接続するものとしたが、これに代えて、あるいはこれに加えて、例えば、ＬＡＮや無線ＬＡＮなどの別の通信インターフェースを用い、D-VHSビデオデッキなどの記録再生装置と接続して同様の動作を行なわせるようにしてもよい。
【００５９】
ここで、制御部１７は、図示しないバス部でこの実施形態のデジタル放送受信装置の各部と接続されており、デジタル放送受信装置全体の動作を制御したり、ユーザインタフェース部１８のリモコンなどを介してユーザから種々な命令信号を受け、その命令信号に基づいて図示しないバス部を介して接続された各部を制御したりすることにより、種々の処理を実行したりする。
【００６０】
以上のように、この実施形態では、表示情報作成部１１で作成される視聴選択情報（表示情報）により、放送番組一覧画面として、ユーザインタフェース部１８を利用し、記録媒体１４に録画中の１または複数の放送番組（録画中番組）の一覧を表示することが可能であるし、また、記録媒体１４の録画済み番組や放送中番組の一覧を表示することができ、かかる一覧から所望とする放送番組（放送中番組や録画中番組，録画済み番組）を視聴することが可能である。以下、かかる放送番組一覧画面の具体例について説明する。
【００６１】
図２は放送番組一覧画面の一具体例を示す図であって、２０は放送番組一覧画面、２１は現時点での日時を表示する日時表示部、２２は番組一覧表示部、２３〜２８は詳細情報の項目、２９はカーソルである。この具体例は選択して視聴可能な録画中番組の詳細情報の一覧を示すものである。
【００６２】
同図において、この放送番組一覧画面（ここでは、録画中放送番組一覧画面）２０では、現時点での日時を表示する日時表示部２１と記録媒体１４（図１）への録画中番組の詳細情報を表わす番組一覧表示部２２とが表示される。かかる詳細情報は、ここでは、「状態」，「日付」，「開始」，「長さ」，「チャンネル」，「番組名」であり、夫々毎に項目２３〜２８が設けられている。
【００６３】
ここで、項目「状態」２３の欄では、放送中，録画中，録画済みのいずれかの状態を表わすものであるが、この放送番組一覧画面２０は録画中番組のみに関するものであるから、「録画中」と表示されることになる。項目「日付」２４の欄では、この放送番組の録画を行なわれている（従って、この放送番組が放送されている）日付が表示されるものであり、録画中番組は現在録画が行なわれているものであるから、現時点での日にち、即ち、日時表示部２１で表示される日にちである１２月１２日（日）が表示される。項目「開始」２５の欄では、録画中番組の録画開始時刻が表示される。項目「長さ」２６の欄では、録画中番組が録画を開始してからの経過時間（即ち、録画開始してから日時表示部２１で表示される現時点の日にちまでの時間。以下、これを録画経過時間という）が表わされる。項目「チャンネル」２７の欄では、録画中番組のチャンネル名が表示され、項目「番組名」２８の欄では、録画中番組の番組名が表示される。
【００６４】
図１に示すこの実施形態は、２つのチューナ復号部１を持つから、２つの放送中番組を同時に受信可能であり、２つまでの放送中番組を同時に録画することができる。図２に示すこの具体例では、チャンネル「０１１」の番組名が「大相撲○場所」の放送中番組とチャンネル「０８１」の番組名が「映画「△△△」」の放送中番組とが、現時点では、同時に録画中であることを示している。
【００６５】
ここで、チャンネル「０１１」の録画中番組は、録画開始時刻が項目「開始」２５の欄に表示される「午後３時３０分」であり、現在の時刻が日時表示部２１で午後４時０５分であって、録画している時間が３５分経過しているから、項目「長さ」２６の欄では、長さ（録画経過時間）が「３５ｍ（分）」と表示されている。同様にして、チャンネル「０８１」の録画中番組は、録画開始時刻が項目「開始」２５の欄に表示される「午後３時００分」であり、現在の時刻が午後４時０５分であって、録画開始してから１時間０５分経過しているから、項目「長さ」２６の欄では、長さが「１ｈ（時間）０５ｍ（分）」と表示されている。
【００６６】
また、この番組一覧表示部２２では、いずれかの録画中番組の詳細情報表示欄に枠で示すカーソル２９が設けられている。かかるカーソル２９は、ユーザインタフェース部１８のリモコンなどの上下キーを操作することにより、上下に移動可能であって、このカーソル２９の位置の詳細情報表示欄の録画中番組は選択された状態にある。また、ユーザインタフェース部１８のリモコンなどの決定（選択）キーを操作することにより、カーソル２９で選択されている録画中番組が合成部１０（図１）からユーザインタフェース部１８に供給され、視聴することが可能となる。
【００６７】
なお、ここでは、カーソル２９を枠状としたが、網かけ状などの他の形態のカーソルであってもよい。このことは後述の具体例でも同様である。
【００６８】
また、同時に録画する放送中番組を２つとしたが、この実施形態を３個以上の放送中番組を受信可能な構成とすることにより、さらに多くの放送番組を同時に録画させることもできる。このことも、後述の具体例でも同様である。
【００６９】
図３は放送番組一覧画面の他の具体例を示す図であって、３０は放送番組一覧画面、３１は現時点での日時を表示する日時表示部、３２は番組一覧表示部、３３〜３８は詳細情報の項目、３９はカーソルである。この具体例は選択して視聴可能な録画中番組と録画済み番組の詳細情報の一覧を示すものである。
【００７０】
同図において、この放送番組一覧画面３０では、現時点での日時を表示する日時表示部３１と記録媒体１４（図１）での録画中番組，録画済み番組の詳細情報を表わす番組一覧表示部３２とが表示される。かかる詳細情報は、図２に示した具体例と同様、「状態」，「日付」，「開始」，「長さ」，「チャンネル」，「番組名」であり、夫々毎に項目３３〜３８が設けられている。
【００７１】
ここで、項目「状態」３３の欄では、放送中，録画中，録画済みのいずれかの状態を表わすものであるが、この放送番組一覧画面３０は録画中番組と録画済み番組とに関するものであるから、録画中番組に対しては「録画中」と表示され、録画済み番組に対しては「録画済み」と表示されることになる。項目「日付」３４の欄では、この放送番組の録画が行なわれた日付が表示されるものであり、録画中番組は現在録画が行なわれているものであるから、現時点での日にち、即ち、日時表示部３１で表示される日にちである１２月１２日（日）が表示され、録画済み番組については、実際に録画がなされた日にちが表示される。項目「開始」３５の欄では、録画中番組や録画済み番組の録画開始時刻が表示される。項目「長さ」３６の欄では、録画中番組については、図２に示した実施形態と同様、録画を開始してからの経過時間、即ち、録画経過時間が表示され、録画済み番組については、この放送番組の録画に要した時間（以下、録画時間という）が表示される。項目「チャンネル」２７の欄では、録画中番組のチャンネル名が表示され、項目「番組名」２８の欄では、録画中番組の番組名が表示される。
【００７２】
図１に示すこの実施形態は、２つのチューナ復号部１を持つから、２つの放送中番組を同時に受信可能であり、２つまでの放送中番組を同時に録画することができる。図３に示すこの具体例でも、チャンネル「０１１」の番組名が「大相撲○場所」の放送中番組とチャンネル「０８１」の番組名が「映画「△△△」」の放送中番組とが、現時点では、同時に録画中であることを示している。
【００７３】
この番組一覧表示部３２では、項目「録画状態」３３の欄で表示される録画状態が「録画中」であるこれら２つの録画中番組と、項目「録画状態」３３の欄で表示される録画状態が「録画済み」である、チャンネル「０５１」の放送番組「大相撲○場所」，「０１１」の放送番組「ニュース」，「０４１」の放送番組「ニュース」，……の７個の録画済み番組との詳細情報が表示されている。チャンネル「０１１」，「０８１」の２つの録画中番組の詳細情報の表示については、図２に示す具体例と同様である。
【００７４】
録画済み番組については、例えば、図示するチャンネル「０５１」の番組名が「ドラマ「△△」」の録画済み番組を例に取ると、録画がなされた日にちは、項目「日付」３４の欄に記載のように、日時表示部３１で表示される日にち、本日（１２月１２日）であり、録画開始時刻は、項目「開始」３５の欄に記載のように、午前９時３０分であり、録画時間は、項目「長さ」３６の欄に記載のように、１時間３０分である。
【００７５】
この具体例においても、ユーザインタフェース部１８のリモコンなどの上下キーを用いてカーソル３９を上下に移動させることにより、所望の録画中番組あるいは録画済み番組を選択することができ、リモコンなどの選択キーを操作することにより、カーソル３９によって選択された録画中番組あるいは録画済み番組を視聴することができる。
【００７６】
図４は放送番組一覧画面のさらに他の具体例を示す図であって、４０は放送番組一覧画面、４１は現時点での日時を表示する日時表示部、４２は番組一覧表示部、４３〜４８は詳細情報の項目、４９はカーソルである。この具体例は選択して視聴可能な放送中番組と録画済み番組の詳細情報の一覧を示すものである。
【００７７】
同図において、この放送番組一覧画面４０では、現時点での日時を表示する日時表示部４１と、放送中番組及び記録媒体１４（図１）での録画済み番組との詳細情報を表わす番組一覧表示部４２とが表示される。かかる詳細情報は、図２に示した具体例と同様、「状態」，「日付」，「開始」，「長さ」，「チャンネル」，「番組名」であり、夫々毎に項目４３〜４８が設けられている。録画済み番組の詳細情報の表示については、図３に示した具体例と同様であり（図４に示す録画済み番組も、図３に示す録画済み番組と同じである）、繰り返しとなるが、以下では、放送中番組の詳細情報の表示とともに説明する。
【００７８】
項目「状態」４３の欄では、放送中，録画中，録画済みのいずれかの状態を表わすものであるが、放送中番組に対しては「放送中」、録画済み番組に対しては「録画済み」と夫々表示される。項目「日付」４４の欄では、放送中番組に対しては、実際に放送される日付け（日付表示部４１で表示される日付、即ち、本日である１２月１２日（日））が表示され、録画済み番組に対しては、実際に録画がなされた日にちが表示される。項目「開始」４５の欄では、放送中番組に対しては、放送開始される時刻が表示され、録画済み番組に対しては、録画が開始された時刻が表示される。項目「長さ」４６の欄では、放送中番組については、放送時間が表示され、録画済み番組に対しては、録画時間が表示される。項目「チャンネル」２７の欄では、放送中番組や録画済み番組のチャンネル名が表示され、項目「番組名」２８の欄では、放送中番組や録画済み番組の番組名が表示される。
【００７９】
ここでは、４個の放送中番組、即ち、チャンネル「０２１」の番組名が「映画「△△△」」の放送中番組，チャンネル「０８１」の番組名が「ニュース」の放送中番組，チャンネル「０５１」の番組名が「ドラマ「△△」」の放送中番組及びチャンネル「０１１」の番組名が「大相撲○場所」の放送中番組の詳細情報が表示されるものとしているが、これに限らず、現時点で放送される視聴可能な放送番組の詳細情報が表示される。
【００８０】
例えば、図示するチャンネル「０５１」の番組名が「ドラマ「△△」」の放送中番組を例に取ると、放送される日にちは、項目「日付」４４の欄に記載のように、日時表示部４１で表示される日にち、本日（１２月１２日）であり、放送開始時刻は、項目「開始」４５の欄に記載のように、午後３時４５分であり、放送番組の長さ（放送時間）は、項目「長さ」４６の欄に記載のように、１時間１５分である。
【００８１】
録画済み番組については、図３に示した録画済み番組と同じであるので、説明を省略する。
【００８２】
この具体例においても、ユーザインタフェース部１８のリモコンなどの上下キーを用いてカーソル４９を上下に移動させることにより、所望の放送中番組あるいは録画済み番組を選択することができ、リモコンなどの選択キーを操作することにより、カーソル４９によって選択された放送中番組あるいは録画済み番組を視聴することができる。
【００８３】
図５は放送番組一覧画面のさらに他の具体例を示す図であって、５０は放送番組一覧画面、５１は日時表示欄、５２は番組一覧表示部、５３〜５８は詳細情報の項目、５９はカーソルであり、日時表示部５１、番組一覧表示部５２、項目５３〜５８、カーソル５９は夫々図２での日時表示欄２１、番組一覧表示部２２、項目２３〜２８、カーソル２３に対応するものである。この具体例は、選択して視聴可能な放送中番組と録画中番組と録画済み番組との詳細情報の一覧を示すものである。
【００８４】
同図において、この放送番組一覧画面５０では、現時点での日時を表わす日時表示部５１と現時点での放送中番組や記録媒体１４（図１）での録画中番組，録画済み番組の詳細情報を夫々の放送番組毎に表示する番組一覧表示部５２とが表示され、この番組一覧表示部５２で表示される詳細情報は、先の具体例と同様、「状態」，「日付」，「開始」，「長さ」，「チャンネル」，「番組名」などであり、夫々毎に項目５３〜５８が設けられている。放送中番組，放送中番組及び録画済み番組の詳細情報の表示については、先の具体例と同様であり（図５に示す放送中番組，録画中番組，録画済み番組も、先の具体例のものと同じである）、繰り返しとなるが、以下では、これら放送番組の詳細情報の表示を説明する。
【００８５】
項目「状態」５３の欄では、放送中，録画中，録画済みのいずれかの状態を表わすものであるが、放送中番組に対しては「放送中」、録画中番組に対しては「録画中」と、録画済み番組に対しては「録画済み」と夫々表示される。項目「日付」５４の欄では、放送中番組及び録画中番組に対しては、実際に放送されている日付け，実際に録画されている日付（日付表示部５１で表示される日付、即ち、本日である１２月１２日（日））が表示され、録画済み番組に対しては、実際に録画がなされた日にちが表示される。項目「開始」５５の欄では、放送中番組に対しては、放送開始される時刻が表示され、録画中番組に対しては、録画開始された時刻が表示され、録画済み番組に対しても、録画が開始された時刻が表示される。項目「長さ」５６の欄では、放送中番組については、放送時間が表示され、録画中番組に対しては、録画経過時間が表示され、録画済み番組に対しては、録画時間が表示される。項目「チャンネル」２７の欄では、放送中番組や録画中番組，録画済み番組のチャンネル名が表示され、項目「番組名」２８の欄では、放送中番組や録画中番組，録画済み番組の番組名が表示される。
【００８６】
ここでは、表示される放送番組の詳細情報を４個の放送中番組を例として説明すると、チャンネル「０８１」の番組名が「映画「△△△」」の放送中番組、及びチャンネル「０１１」の番組名が「大相撲○場所」の放送中番組の詳細情報が表示される。例えば、図示するチャンネル「０８１」の番組名が「ドラマ「△△」」の放送中番組を例に取ると、放送される日にちは、項目「日付」５４の欄に記載のように、日時表示部５１で表示される日にち、本日（１２月１２日）であり、放送開始時刻は、項目「開始」５５の欄に記載のように、午後４時００分であり、放送番組の長さ（放送時間）は、項目「長さ」５６の欄に記載のように、１時間００分である。
【００８７】
なお、ここでは、４つの放送中番組の詳細情報が表示されるものとしたが、これに限らず、現時点で放送される視聴可能な放送番組の詳細情報が表示される。
【００８８】
録画済み番組については、図３に示した録画済み番組と同じであるので、説明を省略する。
【００８９】
この具体例においても、ユーザインタフェース部１８のリモコンなどの上下キーを用いてカーソル５９を上下に移動させることにより、所望の放送中番組あるいは録画済み番組を選択することができ、リモコンなどの選択キーを操作することにより、カーソル５９によって選択された放送中番組、あるいは録画中番組、あるいは録画済み番組を視聴することができる。
【００９０】
なお、図２〜図５に示す放送番組一覧画面は、ユーザインタフェース部１８のリモコンなどの操作により、そのいずれか１つを選択して表示させるように構成することも可能である。
【００９１】
図６は放送番組一覧画面のさらに他の具体例を示す図であって、６０は放送番組一覧画面、６１は日時表示部、６２は番組一覧表示部、６３〜６７は詳細情報の項目欄、６８は放送中番組表示エリア、６８ａ〜６８ｃはサブエリア、６９はカーソル、７０は短時間番組表示エリアであり、図２に対応する部分には同一符号をつけている。この具体例は、視聴可能な放送中番組と録画中番組と録画済み番組との一覧をＧＵＩを利用して表示するものである。
【００９２】
同図において、放送番組一覧画面６０には、日時表示部６１と番組一覧表示部６２とが設けられ、日時表示部６１には、現時点での日時（年月日，曜日，時刻）が表示されている。ここでは、現在の日時を「２００４年１２月１２日（日）午後（ＰＭ）４時５分」としている。
【００９３】
番組一覧表示部６２は、記録媒体１４（図１）での録画済み番組，録画中番組及び現在視聴可能な放送中番組の詳細情報が一覧で表示されるものであって、表示するその詳細情報の項目は、ここでは、録画済み番組及び録画中番組については、「日付」６３，「録画状態」６４，「チャンネル」６５，「開始時刻」６６及び「番組名」６７であり、放送中番組については、「チャンネル」６５と「番組名」６７である。項目「日付」６３の欄では、その録画済み番組や録画中番組の録画開始した日付が表わされるものであり、項目「録画状態」６４の欄では、録画済みであるか、録画中であるかの放送番組の状態が表わされるものであり、項目「チャンネル」６５の欄では、その録画済み番組や録画中番組の放送チャンネルが表わされるものであり、項目「開始時刻」６６の欄では、録画済み番組や録画中番組の録画開始時がを表わされるものであり、項目「番組名」６７の欄では、その録画済み番組や録画中番組の番組名が表わされるものである。
【００９４】
その詳細情報が表示される放送番組は日付が早い順に縦方向に配列される。そこで、現時点（日時表示部６１で表示されている日時）で記録媒体１４に録画済み番組が記録されており、また、録画中番組があるとすると、まず、記録媒体１４に記録されている録画済み番組が、その録画した日付が早い順に、表示され、次いで、録画中番組がその録画開始日時が早い順に縦方向に配列表示され、最後に放送中番組が表示される。同じ日に録画した放送番組については、その日付が記載された箇所に続けて表示される。
【００９５】
図示する例では、チャンネル「０６１」，番組名「ドラマ「△×」」の放送番組が、１２月１０日（金）の午後１時００分に録画開始された録画済み番組として、記録媒体１４に記録保存されており、チャンネル「０８１」，番組名「映画「○△×」」の放送番組も、同日の午前１１時００分に録画開始された録画番組として、記録媒体１４に記録保存されている。これにより、番組一覧表示部６２では、項目「日付」６３の欄に日付「１２／１０（金）」が表示されて、この日付の所に上記のチャンネル「０６１」，番組名「ドラマ「△×」」の録画済み番組とチャンネル「０８１」，番組名「映画「○△×」」の録画済み番組との詳細情報が夫々の項目６４〜６７の欄に表示されている。次の１２月１１日（土）でも、チャンネル「０４１」，番組名「ニュース」の放送番組が午後１時００分から録画されて記録媒体１４に保存されており、これにより、番組一覧表示部６２では、項目「日付」６３の欄に日付「１２／１１日（土）」が表示されて、この日付の所に上記のチャンネル「０４１」，番組名「ニュース」の録画済み番組の詳細情報が夫々の項目６４〜６７の欄に表示されている。
【００９６】
また、この図示する例では、本日（日時表示部６１で表示されている年月日の日）の午後３時３０分に録画開始されて現時点（日時表示部６１で表示されている日時）でも録画中のチャンネル「０１１」，番組名「大相撲○場所」の録画中番組があり、番組一覧表示部６２では、項目「日付」６３の欄に日付「１２／１２日（日）」が表示されて、この日付の所に上記のチャンネル「０１１」，番組名「大相撲○場所」の録画中番組の詳細情報が夫々の項目６４〜６７の欄に表示されている。
【００９７】
なお、この番組一覧表示部６２では、各録画済み番組及び録画中番組が１つずつ枠で区分されているが、この枠の縦方向の長さがその放送番組の長さ、即ち、録画時間を表わしている。録画済み番組については、その録画時間が決まっているので、その枠の縦方向の長さは決まっているが、録画中番組については、時間の経過とともに録画時間が増加していくから、その枠の縦方向の長さも変化し、録画が終了すると、その枠の縦方向の長さはそれまでの録画時間に応じた長さに固定される。
【００９８】
ここでは、放送中番組の詳細情報も表示し、この放送中番組の視聴も可能としているため、番組一覧表示部６２の最後に（即ち、この番組一覧表示部６２の最下部に）、放送中番組の詳細情報を表示するエリア（放送中番組表示エリア）６８が設けられ、この放送中番組表示エリア６８の項目「日付」６３の欄に本日の日付（日時表示部６１で表示されている年月日の日：ここでは、２００４年１２月１２日（日）としている）が表示される。この放送中番組表示エリア６８では、横方向に現時点で視聴可能な放送中番組の個数分のサブエリアに区分され、各サブエリアが割り当てられた放送中番組の詳細情報の表示に用いられる。ここでは、放送中番組を３個として、放送中番組表示エリア６８が３つのサブエリア６８ａ，６８ｂ，６８ｃに区分されている場合を示している。また、放送中番組の詳細情報はチャンネルと番組名としている。さらに、この放送中番組表示エリア６８の項目「日付」６３の欄に表示される詳細情報は、例えば、「ＴＶ ＣＨ」と表示される。
【００９９】
図示する例では、放送中番組はチャンネル「０１１」，番組名「大相撲○場所」の放送番組、チャンネル「０２１」で番組名「映画「△△△」」の放送番組、チャンネル「０８１」で番組名「ドラマ×「××」」の放送番組としており、これらに割り当てられたサブエリア６８ａ，６８ｂ，６８ｃに夫々の詳細情報、即ち、チャンネル名，番組名が表示される。なお、放送中番組においても、それに割り当てられたサブエリアでの項目「番組名」の欄での縦方向の長さがこの放送番組の放送時間の長さを表わしている。
【０１００】
なお、図示する例では、１２月１２日（日）の午後３時３０分から録画を開始したチャンネル「０１１」，番組名「大相撲○場所」の録画中番組は、また、現時点での放送中番組でもある。
【０１０１】
また、ニュース番組などのように、放送時間が非常に短い、例えば、１分以下などの放送番組を録画する場合には、録画済みとなっても、番組一覧表示部６２にその詳細情報を表示することは、これに割り当てられる枠の縦の長さが非常に短く、見難いものとなる。このために、このような録画中番組，録画済み番組については、番組一覧表示部６２の欄外、例えば、上部にこれを表示するために設けられている短時間番組表示エリア７０に詳細情報を表示するようにする。これにより、かかる放送番組も容易に探し出すことができる。勿論、かかる短時間番組表示エリア７０にもカーソル６９を移動させることができ、これにより、録画中，録画済みであっても、視聴することが可能である。
【０１０２】
このようにして、この放送番組一覧画面６０では、現時点の録画済み番組や録画中番組，放送中番組の詳細情報が表示されるものであり、網掛けで示すカーソル６９をユーザインタフェース部１８のリモコンなどの上下，左右キーを用いて上下，左右に移動させることにより、放送番組一覧画面６０で詳細情報が表示される録画済み番組や録画中番組，放送中番組のうち、所望とする放送番組を選択することができ（録画済み番組や録画中番組を選択する場合には、上下キーを操作、放送中番組を選択する場合には、上下キーの操作で放送中番組表示エリア６８を選択し、左右キーの操作で放送中番組を選択する）、リモコンなどの決定キーを操作することにより、この選択した放送番組を視聴することができる。
【図面の簡単な説明】
【０１０３】
【図１】本発明によるデジタル放送受信装置及び方法の一実施形態を示すブロック構成図である。
【図２】図１に示す実施形態での放送番組一覧画面の一具体例を示す図である。
【図３】図１に示す実施形態での放送番組一覧画面の他の具体例を示す図である。
【図４】図１に示す実施形態での放送番組一覧画面の一具体例を示す図である。
【図５】図１に示す実施形態での放送番組一覧画面の他の具体例を示す図である。
【図６】図１に示す実施形態での放送番組一覧画面のさらに他の具体例を示す図である。
【符号の説明】
【０１０４】
１，２  チューナ復号部
３，４  セレクタ
５，６  分離・抽出部
７  番組情報作成・記録部
８，９  復号部
１０  合成部
１１  表示情報作成部
１２  番組記録時間情報抽出部
１３  書き込み部
１４  記録媒体
１５  読み出し部
１６  録画番組管理テーブル作成部
１７  制御部
１８  ユーザインタフェース部
１９  IEEE1394インタフェース部
２０，３０，４０，５０，６０  放送番組一覧画面
２１，３１，４０，５１，６１  日時表示部
２２，３２，４２，５２，６２  番組一覧表示部
２３〜２８，３３〜３８，４３〜４８，５３〜５８，６３〜６７  詳細情報の項目
２９，３９，４９，５９，６９  カーソル
６８  放送中番組表示エリア
６８ａ〜６８ｃ  サブエリア
７０  短時間番組表示エリア
【図１】
2007142756.tif 000003
【図２】
2007142756.tif 000004
【図３】
2007142756.tif 000005
【図４】
2007142756.tif 000006
【図５】
2007142756.tif 000007
【図６】
2007142756.tif 000008